(57)【要約】    【課題】廊下灯及び／又はナースコール親機が有する表示部の予想寿命を自動的に算出して点灯時間と併せて表示する機能を備えることにより、寿命が近づいた表示部の特定を容易として当該表示部の交換時期を計画管理する。    【解決手段】廊下灯２０ａ、２０ｂ、・・・の廊下灯表示部２００の積算点灯時間より定格点灯時間を参照して算出される廊下灯表示部の予想寿命及び点灯時間と、ナースコール親機３０の親機表示部３００の積算点灯時間より定格点灯時間を参照して算出される予想寿命及び点灯時間とを、廊下灯表示部及び親機表示部のうち少なくとも１の表示部を使用して表示する。また、残りの寿命が例えば、１年未満である場合には強調表示を行う。  【選択図】図１
2008079801.tif 000002
【特許請求の範囲】
【請求項１】
病院、老人福祉施設等の病室毎の各病床に設置され被看護者が看護者を呼び出すためのベッド子機（１ａ、２ａ、３ａ、・・・、１ｂ、２ｂ、３ｂ、・・・、・・・）及びベッドサイドに設置され前記ベッド子機が着脱自在に接続される個別の子機番号を有するプレート子機（１１ａ、１２ａ、１３ａ、・・・、１１ｂ、１２ｂ、１３ｂ、・・・、・・・）と、廊下に設置され前記ベッド子機からの呼び出しを報知するための廊下灯（２０ａ、２０ｂ、・・・）と、ナースセンターに設置され前記ベッド子機からの呼び出しを確認した前記看護者が応答して通話を成立するためのナースコール親機（３０）とを設け、
前記廊下灯は、前記被看護者による呼び出しを検出したとき前記被看護者の氏名、前記プレート子機が有する子機番号、呼出種別、前記被看護者の看護履歴等の看護情報を表示するための廊下灯表示部（２００）と、前記廊下灯表示部の点灯時間を計測するための廊下灯測定回路（２０１）と、前記廊下灯測定回路にて計測される積算点灯時間より定格点灯時間を参照して前記廊下灯表示部の予想寿命を算出し、前記点灯時間及び前記予想寿命を前記ナースコール親機に送信するための廊下灯制御回路（２０７）とを備えることを特徴とするナースコールシステム。
【請求項２】
前記ナースコール親機は、前記被看護者による呼び出しを検出したとき前記被看護者の氏名、前記プレート子機が有する子機番号、呼出種別、前記被看護者の看護履歴等の看護情報を表示するための親機表示部（３００）と、前記親機表示部の点灯時間を計測するための親機測定回路（３０４）と、前記親機測定回路にて計測される積算点灯時間より定格点灯時間を参照して前記親機表示部の予想寿命を算出し、前記点灯時間及び前記予想寿命を前記廊下灯に送信するための親機制御回路（３１１）とを備え、
前記廊下灯制御回路及び前記親機制御回路のうち少なくとも１の制御回路は、全ての表示部の点灯時間及び予想寿命を前記廊下灯表示部及び前記親機表示部のうち少なくとも１の表示部に表示することを特徴とする請求項１記載のナースコールシステム。
【請求項３】
前記廊下灯制御回路及び前記親機制御回路のうち少なくとも１の制御回路は、タイマ（２０２、３０５）にて計時される予め定められた周期を検出して、全ての表示部の点灯時間及び予想寿命を前記廊下灯表示部及び前記親機表示部のうち少なくとも１の表示部に表示することを特徴とする請求項２記載のナースコールシステム。
【請求項４】
前記廊下灯制御回路及び前記親機制御回路のうち少なくとも１の制御回路は、前記予想寿命に到達する前記廊下灯及び前記ナースコール親機を、前記廊下灯表示部及び前記親機表示部のうち少なくとも１の表示部に強調表示すること特徴とする請求項２又は請求項３記載のナースコールシステム。
【発明の詳細な説明】
【技術分野】
【０００１】
本発明は、病院、老人福祉施設等に設置されるナースコールシステムに係り、特に、廊下灯及び／又はナースコール親機が有する表示部の点灯寿命を予想し、その交換時期を計画管理することができるナースコールシステムに関する。
【背景技術】
【０００２】
従来から、この種のナースコールシステムとして、呼出操作を行った被看護者である例えば、患者を特定し得るナースコールシステムが開示されている（例えば、特許文献１を参照。）。
【０００３】
このナースコールシステムによれば、病室内に設置される握りボタンやトイレや浴室などの共用部に設置される指紋認証付き呼出ボタンに、患者を認証する指紋認証手段が装備されていることから、患者が何れの場所から呼出操作を行っても、呼出操作を行った患者を特定することができる。また、ナースコール親機、廊下灯およびナースコール子機の各表示装置に看護情報を表示するための看護情報パーソナルコンピュータを備えていることから、患者が他の病室に移動したり、入・退院により当該病室内の患者が変化しても、その都度、記名カードを書き直す必要がなくなる。
【０００４】
【特許文献１】特開２００３−２３４８３６号公報（段落番号「００１５」乃至「００２５」、第１図、第２図）
【発明の開示】
【発明が解決しようとする課題】
【０００５】
背景技術に記載した特許文献１のナースコールシステムにおいて、呼出操作を行った患者を特定するための看護情報を表示装置に表示させる廊下灯は、当該廊下灯毎の使用頻度の違いに基づき表示装置の寿命にばらつきが発生するため、使用頻度の高い表示装置から順次交換していく必要がある。しかしながら、特許文献１のナースコールシステムには、表示装置の予想寿命を確認して報知する手段が何ら備えられていないため、例えば、寿命の経過後に液晶を発注していては、その液晶が届くまでの間、ナースコールの各種機能が滞ってしまうばかりでなく、一斉に全ての廊下灯の表示装置を交換するにあたっては、コスト面を鑑みて効果的ではなかった。
【０００６】
本発明は、この難点を解消するためになされたもので、廊下灯及び／又はナースコール親機が有する表示部の予想寿命を自動的に算出して点灯時間と併せて表示する機能を備えることにより、寿命が近づいた表示部の特定を容易として当該表示部の交換時期を計画管理することができるナースコールシステムを提供することを目的としている。
【課題を解決するための手段】
【０００７】
前述の目的を達成するため、本発明の第１の態様であるナースコールシステムは、病院、老人福祉施設等の病室毎の各病床に設置され被看護者が看護者を呼び出すためのベッド子機及びベッドサイドに設置されベッド子機が着脱自在に接続される個別の子機番号を有するプレート子機と、廊下に設置されベッド子機からの呼び出しを報知するための廊下灯と、ナースセンターに設置されベッド子機からの呼び出しを確認した看護者が応答して通話を成立するためのナースコール親機とを設けたものである。廊下灯は、被看護者による呼び出しを検出したとき被看護者の氏名、プレート子機が有する子機番号、呼出種別、被看護者の看護履歴等の看護情報を表示するための廊下灯表示部と、廊下灯表示部の点灯時間を計測するための廊下灯測定回路と、廊下灯測定回路にて計測される積算点灯時間より定格点灯時間を参照して廊下灯表示部の予想寿命を算出し、点灯時間及び予想寿命をナースコール親機に送信するための廊下灯制御回路とを備えている。
【０００８】
また、本発明の第２の態様であるナースコールシステムは、本発明の第１の態様において、ナースコール親機は、被看護者による呼び出しを検出したとき被看護者の氏名、プレート子機が有する子機番号、呼出種別、被看護者の看護履歴等の看護情報を表示するための親機表示部と、親機表示部の点灯時間を計測するための親機測定回路と、親機測定回路にて計測される積算点灯時間より定格点灯時間を参照して親機表示部の予想寿命を算出し、点灯時間及び予想寿命を廊下灯に送信するための親機制御回路とを備えている。廊下灯制御回路及び前記親機制御回路のうち少なくとも１の制御回路は、全ての表示部の点灯時間及び予想寿命を廊下灯表示部及び親機表示部のうち少なくとも１の当該表示部に表示するものである。
【０００９】
また、本発明の第３の態様であるナースコールシステムは、本発明の第２の態様において、廊下灯制御回路及び親機制御回路のうち少なくとも１の制御回路は、タイマにて計時される予め定められた周期を検出して、全ての表示部の点灯時間及び予想寿命を廊下灯表示部及び親機表示部のうち少なくとも１の表示部に表示するものである。
【００１０】
また、本発明の第４の態様であるナースコールシステムは、本発明の第２の態様又は第３の態様において、廊下灯制御回路及び親機制御回路のうち少なくとも１の制御回路は、予想寿命に到達する廊下灯及びナースコール親機を、廊下灯表示部及び親機表示部のうち少なくとも１の表示部に強調表示するものである。
【発明の効果】
【００１１】
本発明のナースコールシステムによれば、廊下灯の廊下灯測定回路にて計測される廊下灯表示部の積算点灯時間より廊下灯制御回路が定格点灯時間を参照して算出する廊下灯表示部の予想寿命及び点灯時間と、ナースコール親機の親機測定回路にて計測される親機表示部の積算点灯時間より親機制御回路が定格点灯時間を参照して算出する親機表示部の予想寿命及び点灯時間とを、タイマにて計時される予め定められた周期のタイミングで、廊下灯表示部及び親機表示部のうち少なくとも１の表示部を使用して表示することができ、また、残りの寿命が例えば、１年未満である場合には強調表示を行うことができる。これにより、病院、老人福祉施設等の看護者である例えば、ナースセンターに在室中の看護師又は廊下（廊下先）を巡回中の看護師は、ナースコールシステム全体の寿命が近づいた表示部の特定が容易となり表示部の交換時期を計画管理することができるばかりでなく、強調表示される寿命が近づいている表示部については迅速な交換が可能となる。
【発明を実施するための最良の形態】
【００１２】
以下、本発明のナースコールシステムを適用した最良の実施の形態例について、図面を参照して説明する。
【００１３】
図１は、本発明の実施例によるナースコールシステムの構成を示すシステム説明図である。このナースコールシステムは、病院、老人福祉施設等に設置されるものであり、ベッド子機１ａ、２ａ、３ａ、・・・、１ｂ、２ｂ、３ｂ、・・・、・・・と、プレート子機１１ａ、１２ａ、１３ａ、・・・、１１ｂ、１２ｂ、１３ｂ、・・・、・・・と、廊下灯２０ａ、２０ｂ、・・・と、ナースコール親機３０と、オーダリングサーバ４０と、制御機５０とが設けられている。また、廊下灯２０ａ、２０ｂ、・・・にはそれぞれ、子機ラインＬ1a、Ｌ1b、・・・を経由してプレート子機１１ａ、１２ａ、１３ａ、・・・、１１ｂ、１２ｂ、１３ｂ、・・・、・・・が渡り配線接続されている。また、ナースコール親機３０には、サーバラインＬ2を経由してオーダリングサーバ４０が接続されている。さらに、制御機５０には、廊下灯ラインＬ3を経由して廊下灯２０ａ、２０ｂ、・・・が渡り配線接続されているとともに、親機ラインＬ4を経由してナースコール親機３０が接続されている。
【００１４】
なお、廊下灯２０ａ、２０ｂ、・・・及びプレート子機１１ａ、１２ａ、１３ａ、・・・、１１ｂ、１２ｂ、１３ｂ、・・・、・・・の間の接続は、子機ラインＬ1a、Ｌ1b、・・・を経由した渡り配線接続の態様に限定されるものではなく、子機ラインＬ1a、Ｌ1b、・・・を経由してスター接続することもできる。また、制御機５０及び廊下灯２０ａ、２０ｂ、・・・の間の接続は、廊下灯ラインＬ3を経由した渡り配線接続の態様に限定されるものではなく、廊下灯ラインＬ3を経由してバス接続することもできる。
【００１５】
ベッド子機１ａ、２ａ、３ａ、・・・、１ｂ、２ｂ、３ｂ、・・・、・・・はそれぞれ同様な構成であり、「Ａ号室」、「Ｂ号室」、・・・のような病室等の各病床に設置され、被看護者である例えば、患者が、看護者である例えば、ナースコール親機３０が設置されるナースセンターに在室中の看護師に対して、通常のナースコール呼び出し、トイレ介助を求めるトイレ呼び出し、点滴の終了を知らせる確認呼び出し等、呼出種別毎で異なる呼出操作を行うためのものである。
【００１６】
プレート子機１１ａ、１２ａ、１３ａ、・・・、１１ｂ、１２ｂ、１３ｂ、・・・、・・・はそれぞれ、同様な構成で個別の子機番号、例えば、「０００１、０００２、０００３、・・・、０００７、０００８、０００９、・・・、・・・」を有しており、「Ａ号室」、「Ｂ号室」、・・・のような病室等の各病床の所定の位置である例えば、ベッドサイドに設置され、ベッド子機１ａ、２ａ、３ａ、・・・、１ｂ、２ｂ、３ｂ、・・・、・・・からの呼び出しを呼出種別毎に検出し、所定のフォーマットの呼出信号を生成するとともに、患者が看護師との間で通話を成立するためのものである。また、プレート子機１１ａ、１２ａ、１３ａ、・・・、１１ｂ、１２ｂ、１３ｂ、・・・、・・・には、ベッド子機１ａ、２ａ、３ａ、・・・、１ｂ、２ｂ、３ｂ、・・・、・・・を着脱自在に接続するための例えば、レセプタクルにて構成される接続端子１１０と、患者が音声（送話音声、受話音声）を入出力するためのマイク（以下、子機マイクという。）１１１及びスピーカ（以下、子機スピーカという。）１１２とが備えられている。なお、図１における接続端子１１０、子機マイク１１０及び子機スピーカ１１２の図示は、プレート子機１１ａのみとし、その他のプレート子機１２ａ、１３ａ、・・・、１１ｂ、１２ｂ、１３ｂ、・・・、・・・については省略するものとする。
【００１７】
また、前述のベッド子機１ａ、２ａ、３ａ、・・・、１ｂ、２ｂ、３ｂ、・・・、・・・及びプレート子機１１ａ、１２ａ、１３ａ、・・・、１１ｂ、１２ｂ、１３ｂ、・・・、・・・について病室毎で設置可能な台数は、それぞれの子機で通常、６台ずつまでとされる。
【００１８】
廊下灯２０ａ、２０ｂ、・・・はそれぞれ、同様な構成で個別の廊下灯番号、例えば、「１００１、１００２、・・・」を有しており、「Ａ号室」、「Ｂ号室」、・・・のような病室等の廊下（廊下先）に設置されるものである。また、廊下灯２０ａ、２０ｂ、・・・には、プレート子機１１ａ、１２ａ、１３ａ、・・・、１１ｂ、１２ｂ、１３ｂ、・・・、・・・にて生成される呼出信号をもとにベッド子機１ａ、２ａ、３ａ、・・・、１ｂ、２ｂ、３ｂ、・・・、・・・を使用して呼出操作を行った患者からの呼び出しを呼出種別毎異なるパターンで表示するとともに、呼出元の患者の看護履歴等の看護情報を表示するための表示部（以下、廊下灯表示部という。）２００が備えられている。この廊下灯表示部２００としては、例えば、ＬＣＤ、有機ＥＬディスプレイ等の各種の表示媒体が好適とされる。
【００１９】
ナースコール親機３０は、ナースセンターに設置され、ベッド子機１ａ、２ａ、３ａ、・・・、１ｂ、２ｂ、３ｂ、・・・、・・・からの呼び出しを呼出種別毎に検出して呼出報知を行うとともに、看護師が患者との間で通話を成立するためのものである。また、ナースコール親機３０には、プレート子機１１ａ、１２ａ、１３ａ、・・・、１１ｂ、１２ｂ、１３ｂ、・・・、・・・にて生成される呼出信号をもとにベッド子機１ａ、２ａ、３ａ、・・・、１ｂ、２ｂ、３ｂ、・・・、・・・を使用して呼出操作を行った患者からの呼び出しを呼出種別毎異なるパターンで表示するとともに、呼出元の患者の看護履歴等の看護情報を表示するための表示部（以下、親機表示部という。）３００と、前述の患者からの呼び出しがあることを呼出種別毎異なるパターンの呼出音や音声メッセージ等を放音して呼出報知するためのスピーカ（以下、親機スピーカという。）３０１と、この呼出報知を確認した看護師が応答して患者との間で通話を成立するにあたり、その通話手段としてハンドセット通話を成立するための音声（送話音声、受話音声）を入出力するハンドセット３０２と、拡声通話を成立するための音声（送話音声）を入力するマイク（以下、親機マイクという。）３０３とが備えられている。また、親機表示部３００としては、例えば、ＬＣＤ、有機ＥＬディスプレイ等の各種の表示媒体が好適とされる。なお、親機スピーカ３０１には、前述の呼出報知機能の他に、拡声通話を成立するための音声（受話音声）を出力することができる。
【００２０】
オーダリングサーバ４０は、サーバラインＬ2を経由して接続されるナースコール親機３０により制御され、患者の看護履歴等の看護情報を保存するためのものである。
【００２１】
制御機５０は、廊下灯ラインＬ3を経由して接続される廊下灯２０ａ、２０ｂ、・・・、親機ラインＬ4を経由して接続されるナースコール親機３０をそれぞれ制御、例えば、呼出信号の伝送による呼出制御、音声信号の送受信による通話制御等を行うものである。なお、制御機５０は、図１における破線で示すように、オーダリングサーバ４０を制御することもできる。
【００２２】
図２は、プレート子機１１ａ、１２ａ、１３ａ、・・・、１１ｂ、１２ｂ、１３ｂ、・・・、・・・の具体的な構成を示すブロック図である。このプレート子機１１ａ、１２ａ、１３ａ、・・・、１１ｂ、１２ｂ、１３ｂ、・・・、・・・には、前述の接続端子１１０、子機マイク１１１及び子機スピーカ１１２と、通話回路（以下、子機通話回路という。）１１３と、信号送受信回路（以下、子機Ｉ／Ｆという。）１１４と、制御回路（以下、子機制御回路という。）１１５とが備えられている。
【００２３】
このプレート子機１１ａ、１２ａ、１３ａ、・・・、１１ｂ、１２ｂ、１３ｂ、・・・、・・・において、子機通話回路１１３は、子機マイク１１１に入力される送話音声の音声信号、子機スピーカ１１２から出力させる受話音声の音声信号についてそれぞれ所定の信号処理を行う、例えば、増幅、アナログ／デジタル変換、デジタル／アナログ変換等を行うためのものである。
【００２４】
子機Ｉ／Ｆ１１４は、子機ラインＬ1a、Ｌ1b、・・・及び子機通話回路１１３の間の信号伝送路（通話路）、子機ラインＬ1a、Ｌ1b、・・・及び子機制御回路１１５の間の信号伝送路をそれぞれ形成するためのものである。
【００２５】
子機制御回路１１５は、当該プレート子機の構成各部／回路をそれぞれ制御するためのものである。具体的な制御として、子機制御回路１１５は、子機接続端子１１０に着脱自在で接続されるベッド子機１ａ、２ａ、３ａ、・・・、１ｂ、２ｂ、３ｂ、・・・、・・・からの呼び出しを呼出種別毎に検出し、自プレート子機が有する子機番号「０００１、０００２、０００３、・・・、０００７、０００８、０００９、・・・、・・・」を付与した呼出信号を生成することができる。また、子機制御回路１１５は、子機通話回路１１３を制御して、子機マイク１１１から子機Ｉ／Ｆ１１４への信号伝送路（通話路）、子機Ｉ／Ｆ１１４から子機スピーカ１１２への信号伝送路（通話路）をそれぞれ形成することができる。
【００２６】
図３は、廊下灯２０ａ、２０ｂ、・・・の具体的な構成を示すブロック図である。この廊下灯２０ａ、２０ｂ、・・・には、前述の廊下灯表示部２００と、測定回路（以下、廊下灯測定回路という。）２０１と、タイマ（以下、廊下灯タイマという。）２０２と、記憶部（以下、廊下灯記憶部という。）２０３と、操作部（以下、廊下灯操作部という。）２０４と、２つの信号送受信回路（以下、それぞれ子機側廊下灯Ｉ／Ｆ、制御機側廊下灯Ｉ／Ｆという。）２０５、２０６と、制御回路（以下、廊下灯制御回路という。）２０７とが備えられている。
【００２７】
この廊下灯２０ａ、２０ｂ、・・・において、廊下灯測定回路２０１は、廊下灯表示部２００の点灯時間を計測するためのものであり、廊下灯タイマ２０２は、例えば、１年、半年等の予め定められた周期を計時するためのものである。
【００２８】
廊下灯記憶部２０３は、廊下灯測定回路２０１にて測定される廊下灯表示部２００の点灯時間の情報、後述する廊下灯制御回路２０７にて算出される廊下灯表示部２００の予想寿命の情報をそれぞれ保存するためのものである。この廊下灯記憶部２０３としては、例えば、ＲＡＭ、ＥＥＰＲＯＭ等の各種の記憶媒体が好適とされる。
【００２９】
廊下灯操作部２０４は、廊下灯表示部２００の表示内容の変更又は並び替えのための操作、その表示を確認して待受状態に復旧させるための操作、廊下灯記憶部２０３に保存された情報を読み出すための操作、自廊下灯のみならず全ての廊下灯２０ａ、２０ｂ、・・・が有する廊下灯表示部２００、ナースコール親機３０が有する親機表示部３００の点灯時間及び予想寿命を確認するための操作等が行われるものである。この廊下灯操作部２０４としては、例えば、廊下灯表示部２００の前面に配置されるタッチパネルが好適とされる。
【００３０】
子機側廊下灯Ｉ／Ｆ２０５は、子機ラインＬ1a、1b、・・・及び廊下灯制御回路２０７の間の信号伝送路を形成するためのものであり、制御機側廊下灯Ｉ／Ｆ２０６は、廊下灯ラインＬ3及び廊下灯制御回路２０７の間の信号伝送路を形成するためのものである。
【００３１】
廊下灯制御回路２０７は、当該廊下灯の構成各部／回路をそれぞれ制御するためのものである。具体的な制御として、廊下灯制御回路２０７は、プレート子機１１ａ、１２ａ、１３ａ、・・・、１１ｂ、１２ｂ、１３ｂ、・・・、・・・にて生成される呼出信号をもとにベッド子機１ａ、２ａ、３ａ、・・・、１ｂ、２ｂ、３ｂ、・・・、・・・を使用して呼出操作を行った患者からの呼び出しを呼出種別毎に検出し、受信した呼出信号に自廊下灯が有する廊下灯番号「１００１、１００２、・・・」を付与した呼出信号を生成するとともに、患者の呼出情報、オーダリングサーバ４０から読み出した呼出元の患者の看護履歴等の看護情報をそれぞれ、廊下灯表示部２００に表示することができる。また、廊下灯制御回路２０７は、廊下灯タイマ２０２の計時又は廊下灯操作部２０４の操作を検出して、廊下灯表示部２００を表示制御することができる。また、廊下灯制御回路２０７は、廊下灯測定回路２０１にて計測される積算点灯時間より定格点灯時間を参照して廊下灯表示部２００の予想寿命を算出することができるばかりでなく、算出された予想寿命及び点灯時間の情報を、制御機側廊下灯Ｉ／Ｆ２０６から廊下灯ラインＬ3、制御機５０、親機ラインＬ4を経由してナースコール親機３０に送出することができる。
【００３２】
図４は、ナースコール親機３０の具体的な構成を示すブロック図である。このナースコール親機３０には、前述の親機表示部３００、親機スピーカ３０１、ハンドセット３０２及び親機マイク３０３と、測定回路（以下、親機測定回路という。）３０４と、タイマ（以下、親機タイマという。）３０５と、記憶部（以下、親機記憶部という。）３０６と、操作部（以下、親機操作部という。）３０７と、通話回路（以下、親機通話回路という。）３０８と、２つの信号送受信回路（以下、それぞれサーバ側親機Ｉ／Ｆ、制御機側親機Ｉ／Ｆという。）３０９、３１０と、制御回路（以下、親機制御回路という。）３１１とが備えられている。
【００３３】
このナースコール親機３０において、親機測定回路３０４は、親機表示部３００の点灯時間を計測するためのものであり、親機タイマ３０５は、例えば、１年、半年等の予め定められた周期を計時するためのものである。
【００３４】
親機記憶部３０６は、親機測定回路３０４にて測定される親機表示部３００の点灯時間の情報、後述する親機制御回路３１１にて算出される親機表示部３００の予想寿命の情報をそれぞれ保存するためのものである。この親機記憶部３０６としては、例えば、ＲＡＭ、ＥＥＰＲＯＭ等の各種の記憶媒体が好適とされる。
【００３５】
親機操作部３０７は、親機表示部３００の表示内容を変更又は並び替えるための操作、その表示を確認して待受状態に復旧させるための操作、親機記憶部３０６に保存された情報を読み出すための操作、親機表示灯３００のみならず全ての廊下灯２０ａ、２０ｂ、・・・が有する廊下灯表示部２００の点灯時間及び予想寿命を確認するための操作、親機マイク３０３及び親機スピーカ３０１の使用による通話、すなわち、拡声通話を成立させるための応答操作又は成立中の拡声通話を終了させるための終話操作等が行われるものである。この親機操作部３０７としては、例えば、親機表示部３００の前面に配置されるタッチパネルが好適とされる。
【００３６】
親機通話回路３０８は、ハンドセット３０２（のマイク）又は親機マイク３０３に入力される送話音声の音声信号、親機スピーカ３０１又はハンドセット３０２（のレシーバ）から出力させる受話音声の音声信号についてそれぞれ所定の信号処理を行う、例えば、増幅、アナログ／デジタル変換、デジタル／アナログ変換等を行うためのものである。
【００３７】
サーバ側親機Ｉ／Ｆ３０９は、サーバラインＬ2及び親機制御回路３１１の間の信号伝送路を形成するためのものであり、制御機側親機Ｉ／Ｆ３１０は、親機ラインＬ4及び親機通話回路３０８の間の信号伝送路（通話路）、親機ラインＬ4及び親機制御回路３１１の間の信号伝送路をそれぞれ形成するためのものである。
【００３８】
親機制御回路３１１は、当該ナースコール親機の構成各部／回路をそれぞれ制御するためのものである。具体的な制御として、親機制御回路３１１は、プレート子機１１ａ、１２ａ、１３ａ、・・・、１１ｂ、１２ｂ、１３ｂ、・・・、・・・にて生成される呼出信号をもとにベッド子機１ａ、２ａ、３ａ、・・・、１ｂ、２ｂ、３ｂ、・・・、・・・を使用して呼出操作を行った患者からの呼び出しを呼出種別毎に検出し、その旨の呼出情報、オーダリングサーバ４０から読み出した呼出元の患者の看護履歴等の看護情報をそれぞれ、親機表示部３００に表示することができる。また、親機制御回路３１１は、親機タイマ３０５の計時又は親機操作部３０７の操作を検出して、親機表示部３００を表示制御することができる。また、親機制御回路３１１は、親機測定回路３０４にて計測される積算点灯時間より定格点灯時間を参照して親機表示部３００の予想寿命を算出することができるばかりでなく、算出された予想寿命及び点灯時間の情報を、制御機側親機Ｉ／Ｆ３１０から親機ラインＬ4、制御機５０、廊下灯ラインＬ3を経由して全ての廊下灯２０ａ、２０ｂ、・・・にそれぞれ送出することができる。さらに、親機制御回路３１１は、親機通話回路３０８を制御して、ハンドセット３０２（のマイク）又は親機マイク３０３から制御機側親機Ｉ／Ｆ３１０への信号伝送路（通話路）、制御機側親機Ｉ／Ｆ３１０から親機スピーカ３０１又はハンドセット３０２（のレシーバ）への信号伝送路（通話路）をそれぞれ形成することができる。
【００３９】
このように構成された本発明の実施例によるナースコールシステムにおいて、以下、具体的な動作について、図１乃至図５をそれぞれ参照して説明する。なお、図５（ａ）、（ｂ）、（ｃ）はそれぞれ、廊下灯２０ａ、２０ｂ、・・・の廊下灯表示部２００及び／又はナースコール親機３０の親機表示部３００の表示例を示す画面構成図である。
【００４０】
図１に示す「Ａ号室」、「Ｂ号室」、・・・のような病室等の各病床に設置されるベッド子機１ａ、２ａ、３ａ、・・・、１ｂ、２ｂ、３ｂ、・・・、・・・のうち、ここでは、「Ａ号室」のベッド子機１ａが病床に設置されている患者が、ナースコール親機３０が設置されているナースセンターに在室中の看護師を呼び出して通話を成立するために、ベッド子機１ａを使用して呼出種別毎で異なる呼出操作、例えば、通常のナースコール呼び出しのための所定の呼出操作を行うと、接続端子１１０を経由して呼出検出した図２に示すプレート子機１１ａの子機制御回路１１５は、自プレート子機が有する子機番号「０００１」及び通常のナースコール呼び出しを示す呼出種別情報を付与した呼出信号Ｓ1を生成する。この呼出信号Ｓ1は、プレート子機１１ａの子機制御回路１１５から子機Ｉ／Ｆ１１４、子機ラインＬ1a、図３に示す廊下灯２０ａの子機側廊下灯Ｉ／Ｆ２０５を経由して廊下灯制御回路２０７と、プレート子機１１ａの子機制御回路１１５から子機Ｉ／Ｆ１１４、子機ラインＬ1a、「Ａ号室」の他のプレート子機１２ａ、１３ａ、・・・の子機Ｉ／Ｆ１１４を経由して子機制御回路１１５とにそれぞれ伝送される。なお、プレート子機１１ａを除く「Ａ号室」の他のプレート子機１２ａ、１３ａ、・・・の子機制御回路１１５はそれぞれ、受信した呼出信号Ｓ1が廊下灯２０ａからの伝送信号でないため、通常、この呼出信号Ｓ1が無効な信号であると判断する。
【００４１】
廊下灯２０ａの廊下灯制御回路２０７は、受信した呼出信号Ｓ1に付与されている子機番号「０００１」及び呼出種別情報をもとに、ベッド子機１ａが病床に設置されている患者からの通常のナースコール呼び出しがあることを検出し、呼出信号Ｓ1に自廊下灯が有する廊下灯番号「１００１」を付与した呼出信号Ｓ2を生成する。この呼出信号Ｓ2は、廊下灯２０ａの廊下灯制御回路２０７から制御機側廊下灯Ｉ／Ｆ２０６、廊下灯ラインＬ3、制御機５０、親機ラインＬ4、図４に示すナースコール親機３０の制御機側親機Ｉ／Ｆ３１０を経由して親機制御回路３１１と、廊下灯２０ａの廊下灯制御回路２０７から制御機側廊下灯Ｉ／Ｆ２０６、廊下灯ラインＬ3、他の廊下灯２０ｂ、・・・の制御機側廊下灯Ｉ／Ｆ２０６を経由して廊下灯制御回路２０７とにそれぞれ伝送される。なお、廊下灯２０ａを除く他の廊下灯２０ｂ、・・・の廊下灯制御回路２０７はそれぞれ、受信した呼出信号Ｓ2が制御機５０からの伝送信号でないため、通常、この呼出信号Ｓ2が無効な信号であると判断する。
【００４２】
ナースコール親機３０の親機制御回路３１１は、受信した呼出信号Ｓ2に付与されている子機番号「０００１」、廊下灯番号「１００１」及び呼出種別情報をもとに、「Ａ号室」のベッド子機１ａが病床に設置されている患者からの通常のナースコール呼び出しがあることを検出し、画面を点灯させた親機表示部３００の当該画面上に、ベッド子機１ａが病床に設置されている患者の氏名、プレート子機１１ａの子機番号「０００１」、呼出種別情報を表示するとともに、通常のナースコール呼び出しがある旨の呼出音や音声メッセージ等を親機スピーカ３０１から放音させて呼出報知を行うことができる。また、親機制御回路３１１は、呼出元の患者に関する看護履歴等の看護情報をオーダリングサーバ４０から読み出すための制御信号Ｓ3を生成する。この制御信号Ｓ3は、親機制御回路３１１からサーバ側親機Ｉ／Ｆ３０９、サーバラインＬ2を経由してオーダリングサーバ４０に伝送される。なお、親機制御回路３１１は、前述の子機番号「０００１」及び呼出種別情報のみならず、廊下灯番号「１００１」についても、画面を点灯させた親機表示部３００の当該画面上に表示させることができる。
【００４３】
オーダリングサーバ４０は、ナースコール親機３０からの制御信号Ｓ3を受信すると、ベッド子機１ａが病床に設置されている患者に関する看護履歴等の看護情報を読み出し、この看護情報を付与した看護情報信号Ｓ4を生成する。この看護情報信号Ｓ4は、前述の制御信号Ｓ3と逆の経路でナースコール親機３０の親機制御回路３１１に伝送される。
【００４４】
ナースコール親機３０の親機制御回路３１１は、オーダリングサーバ４０からの看護情報信号Ｓ4を受信すると、前述の子機番号「０００１」、呼出種別情報（及び廊下灯番号「１００１」）と併せて、ベッド子機１ａが病床に設置されている患者に関する看護履歴等の看護情報を、画面が点灯されている親機表示部３００の当該画面上に表示させることができる。また、親機制御回路３１１は、前述の看護情報に廊下灯番号「１００１」を付与した看護情報信号Ｓ5を生成する。この看護情報信号Ｓ5は、親機制御回路３１１から制御機側親機Ｉ／Ｆ３１０、親機ラインＬ4、制御機５０、廊下灯ラインＬ3、全ての廊下灯２０ａ、２０ｂ、・・・の制御機側廊下灯Ｉ／Ｆ２０６を経由して廊下灯制御回路２０７にそれぞれ伝送される。
【００４５】
（全ての）廊下灯２０ａ、２０ｂ、・・・の廊下灯制御回路２０７はそれぞれ、受信した看護情報信号Ｓ5に付与されている廊下灯番号「１００１」と自廊下灯が有する廊下灯番号とを照合し、当該廊下灯番号が一致した場合にのみ画面が点灯されている廊下灯表示部２００の当該画面上に、ベッド子機１ａが病床に設置されている患者の氏名、プレート子機１１ａの子機番号「０００１」、呼出種別情報と併せて、ベッド子機１ａが病床に設置されている患者に関する看護履歴等の看護情報を表示させることができる。ここでは、廊下灯２０ａの廊下灯制御回路２０７のみ廊下灯番号が「１００１」で一致し、前述の患者の氏名、子機番号「０００１」、呼出種別情報及び看護情報を廊下灯表示部２００に表示させることができる。
【００４６】
なお、前述までの説明によれば、ベッド子機１ａが病床に設置されている患者に関する看護履歴等の看護情報を、廊下灯２０ａの廊下灯表示部２００及びナースコール親機３０の親機表示部３００にそれぞれ表示させるにあたり、親機制御回路３１１が呼出信号Ｓ2を検出した後のタイミングで、該当する看護情報をオーダリングサーバ４０から読み出す態様について説明したが、この態様に限定されるものではない。例えば、オーダリングサーバ４０に保存された看護情報を、ナースコール親機３０の親機制御回路３１１及び／又は制御機５０の制御により、定期的に廊下灯２０ａ、２０ｂ、・・・及びナースコール親機３０にそれぞれ配信することもできる。この態様によれば、廊下灯２０ａの廊下灯制御回路２０７が呼出信号Ｓ1を検出した後のタイミングで、前述の看護情報を廊下灯表示部２００に表示させることができる。また、ナースコール親機３０の親機制御回路３１１についても、呼出信号Ｓ2を検出した後のタイミングでオーダリングサーバ４０を制御せずに、前述の看護情報を親機表示部３００に表示させることができる。
【００４７】
次に、ナースコール親機３０にて行われた前述の呼出報知をもとに、（「Ａ号室」の）ベッド子機１ａが病床に設置されている患者からの通常のナースコール呼び出しがあることを、呼出元の患者の氏名及びこの患者に関する看護履歴等の看護情報と併せて確認したナースセンターに在室中の看護師が所定の応答操作を行う、例えば、ハンドセット３０２を取り上げるような応答操作を行うと、この操作を検出した親機制御回路３１１は、親機通話回路３０８を制御して、看護師が使用するハンドセット３０２（のマイク及びレシーバ）と制御機側親機Ｉ／Ｆ３１０との間の信号伝送路、すなわち、ハンドセット通話による通話路を形成するとともに、ベッド子機１ａが病床に設置されている患者との間で通話が成立中である旨を、画面が点灯されている親機表示部３００の当該画面上に表示させることができる。また、親機制御回路３１１は、プレート子機１１ａの通話機能を能動にするため、プレート子機１１ａが有する子機番号「０００１」及び廊下灯２０ａが有する廊下灯番号「１００１」を付与した制御信号Ｓ6を生成する。この制御信号Ｓ6は、前述の患者情報信号Ｓ5と同一の経路で全ての廊下灯２０ａ、２０ｂ、・・・の廊下灯制御回路２０７にそれぞれ伝送される。
【００４８】
（全ての）廊下灯２０ａ、２０ｂ、・・・の廊下灯制御回路２０７はそれぞれ、受信した制御信号Ｓ6に付与されている廊下灯番号「１００１」と自廊下灯が有する廊下灯番号とを照合し、当該廊下灯番号が一致した場合にのみ子機番号「０００１」に該当するプレート子機１１ａとナースコール親機３０との間で通話が成立中である旨を、画面が点灯されている廊下灯表示部２００の当該画面上に表示させることができる。ここでは、廊下灯２０ａの廊下灯制御回路２０７のみ廊下灯番号が「１００１」で一致し、前述の表示が廊下灯表示部２００にて行われるとともに、この廊下灯制御回路２０７は、受信した制御信号Ｓ6を、子機側廊下灯Ｉ／Ｆ２０５、子機ラインＬ1a、「Ａ号室」の全てのプレート子機１１ａ、１２ａ、１３ａ、・・・の子機Ｉ／Ｆ１１４を経由して子機制御回路１１５にそれぞれ送出する。
【００４９】
「Ａ号室」の（全ての）プレート子機１１ａ、１２ａ、１３ａ、・・・の子機制御回路１１５はそれぞれ、受信した制御信号Ｓ6に付与されている子機番号「０００１」と自プレート子機が有する子機番号とを照合し、当該子機番号が一致した場合にのみ子機通話回路１１３を制御して、患者が使用する子機マイク１１１及び子機スピーカ１１２と子機Ｉ／Ｆ１１４との間の信号伝送路、すなわち、通話路を形成することができる。ここでは、プレート子機１１ａの子機制御回路１１５のみ子機番号が「０００１」で一致し、子機通話部１１３が制御されることにより、ナースセンター内に在室中の看護師が使用するナースコール親機３０のハンドセット３０２（のマイク及びレシーバ）と、ベッド子機１ａが病床に設置されている患者が使用するプレート子機１１ａの子機マイク１１１及び子機スピーカ１１２との間の通話路が形成され、形成された通話路を経由して音声信号を送受信させることで通話が成立する。
【００５０】
なお、前述までの説明によれば、ナースセンターに在室中の看護師が所定の応答操作を行うにあたり、ナースコール親機３０のハンドセット３０２を取り上げる態様について説明したが、この態様に限定されるものではない。例えば、ナースコール親機３０の親機操作部３０７を使用して所定の応答操作を行うことにより、この操作を検出した親機制御回路３１１が親機通話回路３０８を制御して、看護師が使用する親機マイク３０３及び親機スピーカ３０１と制御機側親機Ｉ／Ｆ３１０との間の信号伝送路、すなわち、拡声通話による通話路を形成することもできる。
【００５１】
また、前述までの説明によれば、ナースセンターに在室中の看護師とベッド子機１ａが病床に設置されている患者との間で通話が成立している場合において、廊下灯２０ａの廊下灯表示部２００及びナースコール親機３０の親機表示部３００の表示態様としては、点灯されている画面上に話中表示を行ったが、この態様に限定されるものではない。例えば、呼出後に通話が開始された時点で画面を消灯することもでき、この態様によれば、省電力に伴い表示部２００、３００の長寿命化が図られる。
【００５２】
さらに、前述のようにナースセンターに在室中の看護師とベッド子機１ａが病床に設置されている患者との間で通話が成立している場合において、看護師が所定の終話操作を行う、例えば、ハンドセット通話時にはナースコール親機３０のハンドセット３０２を元の位置に戻す、或いは、拡声通話時には親機操作部３０７を使用して所定の終話操作を行うと、この操作を検出した親機制御回路３１１及び廊下灯２０ａの廊下灯制御回路２０７の制御により、親機表示部３００及び廊下灯表示部２００の画面を消灯することができ、省電力に伴い表示部２００、３００の長寿命化が図られる。
【００５３】
次に、廊下灯２０ａ、２０ｂ、・・・の廊下灯表示部２００（の画面）、ナースコール親機３０の親機表示部３００（の画面）をそれぞれ点灯させて、呼出元のベッド子機１ａ、２ａ、３ａ、・・・、１ｂ、２ｂ、３ｂ、・・・、・・・が着脱自在に接続されるプレート子機１１ａ、１２ａ、１３ａ、・・・、１１ｂ、１２ｂ、１３ｂ、・・・、・・・が有する子機番号「０００１、０００２、０００３、・・・、０００７、０００８、０００９、・・・、・・・」、呼出種別情報、看護情報（及び通話情報）等を表示するにあたり、廊下灯測定回路２０１はそれぞれ、廊下灯表示部２００の点灯時間を計測し、親機測定回路３０４は、親機表示部３００の点灯時間を計測している。
【００５４】
また、廊下灯２０ａ、２０ｂ、・・・の廊下灯制御回路２０７はそれぞれ、廊下灯測定回路２０１にて計測される積算点灯時間より例えば、１万時間程度の定格点灯時間を参照して廊下灯表示部２００の予想寿命を算出することができ、算出された予想寿命及び廊下灯測定回路２０１にて計測された点灯時間の情報は、廊下灯記憶部２０３に保存される。
【００５５】
さらに、ナースコール親機３０の親機制御回路３１１は、親機測定回路３０４にて計測される積算点灯時間より例えば、１万時間程度の定格点灯時間を参照して親機表示部３００の予想寿命を算出することができ、算出された予想寿命及び親機測定回路３０４にて計測された点灯時間の情報は、親機記憶部３０６に保存される。
【００５６】
具体的な算出結果として、例えば、廊下灯２０ａの廊下灯測定回路２０１にて計測される廊下灯表示部２００の積算点灯時間が「２２００時間」であり、この廊下灯表示部２００が１日当たりに点灯する時間の割合である点灯時間率が「１２％」と設定すると、１万時間程度の定格点灯時間を参照して予想寿命が「２７００日後」であると算出される。また、廊下灯２０ｂについても、廊下灯測定回路２０１にて計測される廊下灯表示部２００の積算点灯時間が「９９７５時間」であり、この廊下灯表示部２００が１日当たりに点灯する時間の割合である点灯時間率が「３５％」と設定すると、１万時間程度の定格点灯時間を参照して予想寿命が「３日後」であると算出されるように、その予想寿命は、点灯時間の相違に基づき廊下灯２０ａ、２０ｂ、・・・毎にばらつきを生じている。さらに、ナースコール親機３０は、親機測定回路３０４にて計測される親機表示部３００の積算点灯時間が「８５００時間」であり、この親機表示部３００が１日当たりに点灯する時間の割合である点灯時間率が「３０％」と設定すると、１万時間程度の定格点灯時間を参照して予想寿命が「２０８日後」であると算出することができる。
【００５７】
次に、廊下灯２０ａ、２０ｂ、・・・の廊下灯記憶部２０３にそれぞれ保存された廊下灯表示部２００の点灯時間及び予想寿命の情報、ナースコール親機３０の親機記憶部３０６に保存された親機表示部３００の点灯時間及び予想寿命の情報を読み出して看護師が確認するにあたり、例えば、ナースセンター内に在室中の看護師がナースコール親機３０の親機操作部３０７を使用して所定の寿命確認操作を行うと、この操作を検出した親機制御回路３１１は、親機記憶部３０６に保存された親機表示部３００の点灯時間及び予想寿命の情報を読み出すとともに、全ての廊下灯２０ａ、２０ｂ、・・・の廊下灯記憶部２０３にそれぞれ保存された廊下灯表示部２００の点灯時間及び予想寿命の情報を読み出すため、全ての廊下灯番号「１００１、１００２、・・・」を付与した制御信号Ｓ7を生成する。この制御信号Ｓ7は、前述の患者情報信号Ｓ5及び制御信号Ｓ6と同一の経路で全ての廊下灯２０ａ、２０ｂ、・・・の廊下灯制御回路２０７にそれぞれ伝送される。
【００５８】
（全ての）廊下灯２０ａ、２０ｂ、・・・の廊下灯制御回路２０７はそれぞれ、受信した制御信号Ｓ7に付与されている廊下灯番号「１００１、１００２、・・・」と自廊下灯が有する廊下灯番号とが一致することから、廊下灯記憶部２０３に保存された廊下灯表示部２００の点灯時間及び予想寿命の情報を読み出し、読み出された情報に自廊下灯の廊下灯番号「１００１、１００２、・・・」を付与した廊下灯情報信号Ｓ8、Ｓ8、・・・を生成する。この廊下灯情報信号Ｓ8、Ｓ8、・・・は、各廊下灯２０ａ、２０ｂ、・・・の廊下灯制御回路２０７から制御機側廊下灯Ｉ／Ｆ２０６、廊下灯ラインＬ3、制御機５０、親機ラインＬ4、ナースコール親機３０の制御機側親機Ｉ／Ｆ３１０を経由して親機制御回路３１１に伝送されるとともに、各廊下灯２０ａ、２０ｂ、・・・の廊下灯制御回路２０７から制御機側廊下灯Ｉ／Ｆ２０６、廊下灯ラインＬ3、自廊下灯を除く他の当該廊下灯の制御機側廊下灯Ｉ／Ｆ２０６を経由して廊下灯制御回路２０７にそれぞれ伝送される。なお、自廊下灯を除く他の当該廊下灯の廊下灯制御回路２０７は、受信した廊下灯情報信号Ｓ8、Ｓ8、・・・が制御機５０からの伝送信号でないため、通常、廊下灯情報信号Ｓ8、Ｓ8、・・・が無効な信号であると判断する。
【００５９】
ナースコール親機３０の親機制御回路３１１は、受信した廊下灯情報信号Ｓ8、Ｓ8、・・・にそれぞれ付与されている全ての廊下灯２０ａ、２０ｂ、・・・が有する廊下灯表示部２００の点灯時間及び予想寿命の情報を、前述の親機記憶部３０６から読み出した親機表示部２００の点灯時間及び予想寿命の情報と併せた図５（ａ）の画面構成図に所定の表示フォーマットで、画面が点灯されている親機表示部３００に表示させることができる。ここで、予想寿命が「３日後」である廊下灯２０ｂの廊下灯表示部２００、及び「２０８日後」であるナースコール親機の親機表示部３００のように、残りの寿命が例えば、１年未満である場合には、廊下灯２０ｂが設置される「Ｂ号室」の病室名、予想寿命、積算点灯時間及び点灯時間率と、ナースコール親機３０が設置されるナースセンター名、予想寿命、積算点灯時間及び点灯時間率とをそれぞれ強調表示する、例えば、文字色を変更する、文字の下部に罫線を引く、文字を点滅する等して強調表示を行うことができる。
【００６０】
前述までの説明から明らかなように、ナースセンター内に在室中の看護師は、全ての廊下灯２０ａ、２０ｂ、・・・が有する廊下灯表示部２００の予想寿命及び点灯時間の情報、ナースコール親機３０が有する親機表示部３００の点灯時間及び予想寿命の情報をそれぞれ確認することができ、当該表示部の交換時期の計画管理が容易となるばかりでなく、強調表示される寿命が近づいている当該表示部、例えば、廊下灯２０ｂの廊下灯表示部２００、ナースコール親機３０の親機表示部３００については迅速な交換が可能となる。
【００６１】
次に、廊下灯２０ａ、２０ｂ、・・・の廊下灯記憶部２０３にそれぞれ保存された廊下灯表示部２００の点灯時間及び予想寿命の情報、ナースコール親機３０の親機記憶部３０６に保存された親機表示部３００の点灯時間及び予想寿命の情報を読み出して看護師が確認するあたり、前述のナースセンター内に在室中の看護師とは異なる別途の看護師として、例えば、「Ａ号室」の廊下（廊下先）を巡回中の看護師が廊下灯２０ａの廊下灯操作部２０４を使用して所定の寿命確認操作を行うと、この操作を検出した廊下灯制御回路２０７は、廊下灯記憶部２０３に保存された自廊下灯の廊下灯表示部２００の点灯時間及び予想寿命の情報を読み出すとともに、自廊下灯を除く他の廊下灯２０ｂ、・・・の廊下灯記憶部２０３に保存された廊下灯表示部２００の点灯時間及び予想寿命の情報、ナースコール親機３０の親機記憶部３０６に保存された親機表示部３００の点灯時間及び予想寿命の情報をそれぞれ読み出すため、自廊下灯の廊下灯番号「１００１」を付与した制御信号Ｓ9を生成する。この制御信号Ｓ9は、前述の呼出信号Ｓ2と同一の経路でナースコール親機３０の親機制御回路３１１と、廊下灯２０ａを除く他の廊下灯２０ｂ、・・・の廊下灯制御回路２０７とにそれぞれ伝送される。
【００６２】
ナースコール親機３０の親機制御回路３１１は、廊下灯２０ａからの制御信号Ｓ9を受信すると、親機記憶部３０６に保存された親機表示部３００の点灯時間及び予想寿命の情報を読み出し、読み出された情報に廊下灯番号「１００１」を付与した親機情報信号Ｓ10生成する。この親機情報信号Ｓ10は、前述の患者情報信号Ｓ5、各制御信号Ｓ6、Ｓ7と同一の経路で全ての廊下灯２０ａ、２０ｂ、・・・の廊下灯制御回路２０７にそれぞれ伝送される。
【００６３】
（全ての）廊下灯２０ａ、２０ｂ、・・・の廊下灯制御回路２０７は、受信した親機情報信号Ｓ10に付与されている廊下灯番号「１００１」と自廊下灯が有する廊下灯番号とを照合し、一致した場合にのみナースコール親機３０が有する親機表示部３００の点灯時間及び予想寿命の情報が有効であると判断する。ここでは、廊下灯２０ａの廊下灯制御回路２０７のみが廊下灯番号「１００１」で一致し、ナースコール親機３０が有する親機表示部３００の点灯時間及び予想寿命の情報が有効であると判断される。
【００６４】
また、廊下灯２０ａを除く他の廊下灯２０ｂ、・・・の廊下灯制御回路２０７はそれぞれ、廊下灯２０ａからの制御信号Ｓ9を受信すると、廊下灯記憶部２０３に保存された自廊下灯が有する廊下灯表示部２００の点灯時間及び消灯時間の情報を読み出し、読み出された情報に廊下灯２０ａの廊下灯番号「１００１」を付与した廊下灯情報信号Ｓ11、・・・を生成する。この廊下灯情報信号Ｓ11、・・・は、廊下灯２０ａを除く他の廊下灯２０ｂ、・・・の廊下灯制御回路２０７から制御機側廊下灯Ｉ／Ｆ２０６、廊下灯ラインＬ3、自廊下灯を除く他の廊下灯の制御機側廊下灯Ｉ／Ｆ２０６を経由して廊下灯制御回路２０７にそれぞれ伝送されるとともに、廊下灯２０ａを除く他の廊下灯２０ｂ、・・・の廊下灯制御回路２０７から制御機側廊下灯Ｉ／Ｆ２０６、廊下灯ラインＬ3を経由して制御機５０にそれぞれ伝送される。なお、制御機５０は、受信した廊下灯情報信号Ｓ11、・・・が無効な信号であると判断して、親機ラインＬ4に送出することはない。
【００６５】
廊下灯情報信号Ｓ11、・・・の送信元である廊下灯２０ｂ、・・・を除く他の当該廊下灯の廊下灯制御回路２０７はそれぞれ、受信した廊下灯情報信号Ｓ11、・・・に付与されている廊下灯番号「１００１」と自廊下灯が有する廊下灯番号とを照合し、一致した場合にのみ廊下灯表示部２００の点灯時間及び予想寿命の情報が有効であると判断する。ここでは、廊下灯２０ａの廊下灯制御回路２０７のみ廊下灯番号が「１００１」で一致し、他の廊下灯２０ｂ、・・・がそれぞれ有する廊下灯表示部２００の点灯時間及び予想寿命の情報が有効であると判断される。
【００６６】
廊下灯２０ａの廊下灯制御回路２０７は、受信した親機情報信号Ｓ10に付与されているナースコール親機３０が有する親機表示部３００の点灯時間及び予想寿命の情報と、同様に受信した廊下灯情報信号Ｓ11、・・・に付与されている他の廊下灯２０ｂ、・・・が有する廊下灯表示部２００の点灯時間及び予想寿命の情報とを、前述の廊下灯記憶部２０３から読み出した自廊下灯が有する廊下灯表示部２００の点灯時間及び予想寿命の情報と併せた図５（ａ）の画面構成図に所定の表示フォーマットで、画面が点灯されている廊下灯表示部２００に表示させることができる。ここで、予想寿命が「３日後」である廊下灯２０ｂの廊下灯表示部２００、及び「２０８日後」であるナースコール親機の親機表示部３００のように、残りの寿命が例えば、１年未満である場合には、廊下灯２０ｂが設置される「Ｂ号室」の病室名、予想寿命、積算点灯時間及び点灯時間率と、ナースコール親機３０が設置されるナースセンター名、予想寿命、積算点灯時間及び点灯時間率とをそれぞれ強調表示する、例えば、文字色を変更する、文字の下部に罫線を引く、文字を点滅する等して強調表示を行うことができる。
【００６７】
前述までの説明から明らかなように、「Ａ号室」の廊下（廊下先）を巡回中の看護師は、全ての廊下灯２０ａ、２０ｂ、・・・が有する廊下灯表示部２００の予想寿命及び点灯時間の情報、ナースコール親機３０が有する親機表示部３００の点灯時間及び予想寿命の情報をそれぞれ確認することができ、当該表示部の交換時期の計画管理が容易となるばかりでなく、強調表示される寿命が近づいている当該表示部、例えば、廊下灯２０ｂの廊下灯表示部２００、ナースコール親機３０の親機表示部３００については迅速な交換が可能となる。
【００６８】
また、前述までの説明によれば、（全ての）廊下灯２０ａ、２０ｂ、・・・が有する廊下灯表示部２００の点灯時間及び予想寿命の情報、ナースコール親機３０が有する親機表示部３００の点灯時間及び予想寿命の情報を、親機表示部３００及び特定の当該廊下灯の廊下灯表示部２００に一覧表示（強調表示を含む。）させるにあたり、廊下灯操作部２０４又は親機操作部３０７にて所定の寿命確認操作を行う態様について説明したが、この態様に限定されるものではない。例えば、廊下灯２０ａ、２０ｂ、・・・の廊下灯タイマ２０２又はナースコール親機３０の親機タイマ３０５にて計時される予め定められた周期、例えば、半年、１年等の周期を検出した廊下灯制御回路２０７又は親機制御回路３１１の制御により、前述の一覧表示（強調表示を含む。）を行うこともできる。この態様によれば、看護師による寿命確認のし忘れを防止することができる。さらに、前述の周期を計時する当該タイマは、廊下灯２０ａ、２０ｂ、・・・及びナースコール親機３０にそれぞれに備える態様に限定されず、例えば、廊下灯２０ａ、２０ｂ、・・・、ナースコール親機３０、オーダリングサーバ４０及び制御機５０のうち何れか１つに備える態様、或いは、廊下灯２０ａ、２０ｂ、・・・、ナースコール親機３０、オーダリングサーバ４０及び制御機５０にそれぞれ備えられる当該タイマのうち、任意の１つのタイマを選択して利用する態様も好適とされる。
【００６９】
なお、本発明の実施例においては、（全ての）廊下灯２０ａ、２０ｂ、・・・が有する廊下灯表示部２００の点灯時間及び予想寿命の情報、ナースコール親機３０が有する親機表示部３００の点灯時間及び予想寿命の情報を、親機表示部３００又は特定の当該廊下灯の廊下灯表示部２００に一覧表示（強調表示を含む。）させたが、この態様に限定されるものではない。例えば、図５（ｂ）の画面構成図に示すように、「残り寿命が半年未満の表示部はＸ台、１年未満の表示部はＹ台、１年以上の表示部はＺ台、・・・」のように、所定の日数毎で台数表示を行うこともできる。また、別途の表示態様として、図５（ｃ）の画面構成図に示すように、廊下灯操作部２０４又は親機操作部３０７を使用して、残り寿命が短い順に例えば、下方向にソート表示することもできる。
【００７０】
また、本発明の実施例においては、被看護者である患者による呼び出しを検出したプレート子機１１ａ、１２ａ、１３ａ、・・・、１１ｂ、１２ｂ、１３ｂ、・・・、・・・が有する子機番号、呼出種別、被介護者の看護履歴等の看護情報、全ての表示部の点灯時間及び予想寿命の情報を表示する当該表示部を、廊下灯２０ａ、２０ｂ、・・・及びナースコール親機３０にそれぞれ廊下灯表示部２００、親機表示部３００として備える態様について説明したが、この態様に限定されるものではない。例えば、廊下灯２０ａ、２０ｂ、・・・にのみ当該表示部として廊下灯表示部２００を備える一方、ナースコール親機３０には親機表示部３００を不備とする態様や、ナースコール親機３０にのみ当該表示部として親機表示部３００を備える一方、廊下灯２０ａ、２０ｂ、・・・には廊下灯表示部２００を不備とする態様も好適とされる。
【００７１】
本発明のナースコールシステムにおいては、特定の実施の形態をもって説明してきたが、この形態に限定されるものでなく、本発明の効果を奏する限り、これまで知られた如何なる構成のナースコールシステムであっても採用できるということはいうまでもないことである。例えば、べッド子機１１ａ、１２ａ、１３ａ、・・・、１１ｂ、１２ｂ、１３ｂ、・・・、・・・からの呼び出しを確認した看護者が応答して通話を成立するための機器として、制御機５０により無線制御され、病院、老人福祉施設等を巡回中の看護師により携行される無線端末を有するナースコールシステムや、患者による通話機能として適用される子機マイク１１１、子機スピーカ１１２及び子機通話回路１１３を、プレート子機１ａ、２ａ、３ａ、・・・、１ｂ、２ｂ、３ｂ、・・・、・・・ではなく、べッド子機１１ａ、１２ａ、１３ａ、・・・、１１ｂ、１２ｂ、１３ｂ、・・・、・・・に備えたナースコールシステムも好適とされる。
【図面の簡単な説明】
【００７２】
【図１】図１は、本発明の実施例によるナースコールシステムの全体構成を示すシステム説明図である。
【図２】図２は、本発明の実施例によるナースコールシステムにおいて、プレート子機の具体的な構成を示すブロック図である。
【図３】図３は、本発明の実施例によるナースコールシステムにおいて、廊下灯の具体的な構成を示すブロック図である。
【図４】図４は、本発明の実施例によるナースコールシステムにおいて、ナースコール親機の具体的な構成を示すブロック図である。
【図５】図５（ａ）、（ｂ）、（ｃ）はそれぞれ、本発明の実施例によるナースコールシステムにおいて、廊下灯の表示部（廊下灯表示部）及び／又はナースコール親機の表示部（親機表示部）の表示例を示す画面構成図である。
【符号の説明】
【００７３】
１ａ、２ａ、３ａ、・・・、１ｂ、２ｂ、３ｂ、・・・、・・・ ……ベッド子機
１１ａ、１２ａ、１３ａ、・・・、１１ｂ、１２ｂ、１３ｂ、・・・、・・・ ……プレート子機
２０ａ、２０ｂ、・・・ ……廊下灯
２００……廊下灯表示部
２０１……廊下灯測定回路
２０２……廊下灯タイマ
２０４……廊下灯操作部
２０７……廊下灯制御回路
３０……ナースコール親機
３００……親機表示部
３０４……親機測定回路
３０５……親機タイマ
３０７……親機操作部
３１１……親機制御回路
【図１】
2008079801.tif 000003
【図２】
2008079801.tif 000004
【図３】
2008079801.tif 000005
【図４】
2008079801.tif 000006
【図５】
2008079801.tif 000007